(57)【要約】【課題】ＩＤメダルが自店のものか否かを目視で識別可能としつつも、識別マーク上をスキャンされないようにし、識別マークに起因するノイズのピークが検出信号に出ないようにして、ＩＤコードの判読に悪影響を与えないＩＤメダルを提供する。【解決手段】ＩＤコード形成面におけるＩＤコードスキャンライン70よりもＩＤメダル10の中心側の領域に、すなわち、スキャンライン接円85よりも内側の領域に、視覚的に識別できる固有の識別マーク90を付する。【選択図】図２
2008054824.tif 000002
【特許請求の範囲】
【請求項１】
円板形状のメダル本体と、このメダル本体の少なくとも一方側の表面に形成され、メダル本体の外周円と同心円でありかつ径がそれぞれ異なる複数の環状段部とを有し、これら複数の環状段部の数及び環状段部相互の間隔に基づいて固有のＩＤコードが形成され、このＩＤコードがＩＤコード判読装置によって読み取られるＩＤメダルであって、
前記ＩＤコード判読装置は、
ＩＤメダルを一定方向へ流下させるためのメダル通路と、
メダル通路上の１点に向けてビーム光を照射するための照光部と、
メダル通路を流下するＩＤメダルのＩＤコード形成面で反射したビーム光を受けるための受光部と、
受光部が受けたビーム光に基づいてＩＤコードの判読を行うための判読部とを備え、
ＩＤメダルがメダル通路を流下したときのＩＤメダルの中心の軌跡を、メダル中心軌跡とし、
ＩＤメダルがメダル通路を流下したときにビーム光がスキャンするＩＤコード形成面上のラインを、ＩＤコードスキャンラインとすると、
照光部は、ＩＤコードスキャンラインがメダル中心軌跡から所定距離ずれた位置になるように、かつ、各環状段部とＩＤコードスキャンラインとの２ヶ所ある交点のうちのいずれか一方においてビーム光が環状段部に対してほぼ直交するように当たるように、ビーム光をＩＤコード形成面に対して所定角度傾斜させて照射するように形成され、
受光部は、ビーム光が環状段部に対してほぼ直交するように当たったときにＩＤコード形成面で反射したビーム光を受けるように形成され、
前記ＩＤメダルは、ＩＤコード形成面におけるＩＤコードスキャンラインよりもＩＤメダルの中心側の領域に、視覚的に識別できる固有の識別マークを有していることを特徴とするＩＤメダル。
【発明の詳細な説明】
【技術分野】
【０００１】
本発明は、表面にＩＤコードが形成されたＩＤメダルに関する。
【背景技術】
【０００２】
スロットマシン等の遊技機で遊技媒体として使用されるメダルが自店のものか否かを識別するための技術として、例えば、下記の特許文献１及び特許文献２に開示されている技術が知られている。
特許文献１及び特許文献２に開示されている技術を、図１１ないし図２０に基づいて説明する。図１１（Ａ）は、従来のＩＤメダル10の平面図、図１１（Ｂ）は、図１１（Ａ）のＦ−Ｆ線断面図、図１２は、ＩＤメダル10がメダル通路30を流下する様子及びビーム光の入射の様子を示す平面図、図１３は、図１２のＧ−Ｇ線断面図であって、ＩＤメダル10が図１２の位置にあるときのビーム光の入射及び反射の様子を示す説明図、図１４は、環状凸部20の断面拡大図であって、ビーム光が環状凸部20のエッジ部及びその近傍で反射する様子を示す説明図、図１５（Ａ）は、ＩＤメダル10がメダル通路30を流下する様子を示す平面図、図１５（Ｂ）は、図１５（Ａ）のＨ−Ｈ線断面図であって、ＩＤメダル10が図１５（Ａ）の位置にあるときのビーム光の入射及び反射の様子を示す説明図、図１５（Ｃ）は、ＩＤメダル10が図１５（Ａ）の位置にあるときの受光部50による検出信号の波形を示す説明図、図１６（Ａ）は、ＩＤメダル10がメダル通路30を流下する様子を示す平面図、図１６（Ｂ）は、図１６（Ａ）のＩ−Ｉ線断面図であって、ＩＤメダル10が図１６（Ａ）の位置にあるときのビーム光の入射及び反射の様子を示す説明図、図１６（Ｃ）は、ＩＤメダル10が図１６（Ａ）の位置にあるときの受光部50による検出信号の波形を示す説明図、図１７（Ａ）は、ＩＤメダル10がメダル通路30を流下する様子を示す平面図、図１７（Ｂ）は、図１７（Ａ）のＪ−Ｊ線断面図であって、ＩＤメダル10が図１７（Ａ）の位置にあるときのビーム光の入射及び反射の様子を示す説明図、図１７（Ｃ）は、ＩＤメダル10が図１７（Ａ）の位置にあるときの受光部50による検出信号の波形を示す説明図、図１８は、ＩＤコードスキャンライン70におけるＩＤメダル10の断面図であって、各環状凸部20のエッジ部と受光部50による検出信号の波形との関係を示す説明図、図１９は、２枚のＩＤメダル10がメダル通路30を連なって流下する様子を示す平面図、図２０は、ＩＤコードスキャンライン70におけるＩＤメダル10の断面図であって、２枚のＩＤメダル10がメダル通路30を連なって流下したときの、各環状凸部20のエッジ部と受光部50による検出信号の波形との関係を示す説明図である。
【０００３】
特許文献１及び特許文献２に開示されている技術は、次のようなものである。
図１１（Ａ）及び（Ｂ）に示すように、円板形状のメダル本体15の表面に、メダル本体15の外周円と同心円であり、かつ、径がそれぞれ異なる複数の環状凸部20を設け、これらの数及び相互の間隔の相違等で、固有のＩＤコードを形成する。そして、このＩＤコードを、ＩＤコード判読装置で判読し、自店のＩＤコードを有するＩＤメダル10のみを通過させ、自店のＩＤコードと合致しないＩＤメダル10やＩＤコードを有しないメダルを排除する。
また、図１１に示すように、ＩＤメダル10の中心部分には、表面の凹凸によって文字や絵柄等をあらわす識別マーク90が付されている。この識別マーク90により、ＩＤメダル10が自店のものか否かを目視でも識別できるようにしている。また、この識別マーク90は、メダル本体15にプレス加工を施すことによって形成されている。
【０００４】
また、図１２及び図１３に示すように、ＩＤコード判読装置は、ＩＤメダル10を流下させるためのメダル通路30と、メダル通路30上の１点に向けてビーム光を照射するための照光部40と、メダル通路30を流下するＩＤメダル10のＩＤコード形成面で反射したビーム光を受けるための受光部50と、受光部50が受けたビーム光に基づいてＩＤコードの判読を行うための判読部とを備えている。
ここで、ＩＤメダル10がメダル通路30を流下したときのＩＤメダル10の中心の軌跡を「メダル中心軌跡60」とする。また、ＩＤメダル10がメダル通路30を流下したときにビーム光がスキャンするＩＤコード形成面上のラインを「ＩＤコードスキャンライン70」とする。また、ビーム光をＩＤコード形成面に投影したときの線を「ビーム光投影線80」とする。
【０００５】
図１２に示すように、従来のＩＤコード判読装置では、照光部40は、メダル中心軌跡60上の所定の１点に向けてビーム光を照射するように形成されていた。このため、従来のＩＤコード判読装置では、メダル中心軌跡60とＩＤコードスキャンライン70とが一致していた。つまり、従来のＩＤコード判読装置では、ＩＤメダル10のセンターライン上をスキャンしていた。
また、図１２に示すように、従来のＩＤコード判読装置では、ビーム光投影線80は、メダル中心軌跡60上に位置していた。つまり、従来のＩＤコード判読装置では、ビーム光投影線80とメダル中心軌跡60とが重なり合うようになっていた。
【０００６】
また、図１２に示すように、従来のＩＤコード判読装置では、メダル中心軌跡60とＩＤコードスキャンライン70とが一致し、かつ、メダル中心軌跡60とビーム光投影線80とが一致することにより、各環状凸部20とＩＤコードスキャンライン70との２ヶ所ある交点の双方において、ビーム光が環状凸部20に対して直交するように当たっていた。
また、図１３に示すように、従来のＩＤコード判読装置では、照光部40は、ビーム光をＩＤコード形成面に対して角度「θ３」傾斜させて照射するように形成されていた。また、図１３及び図１４に示すように、ビーム光は、各環状凸部20のエッジ部及びその近傍に当たると、ＩＤコード形成面に対して直角方向に反射するようになっていた。つまり、角度「θ３」は、各環状凸部20のエッジ部及びその近傍に当たったビーム光がＩＤコード形成面に対して直角方向に反射する角度である。
【０００７】
また、図１３に示すように、受光部50は、各環状凸部20のエッジ部及びその近傍に当たって反射したビーム光を受けることができる位置に設けられていた。具体的には、図１３に示すように、ビーム光の照射位置と受光部50とは、ＩＤコード形成面に対して垂直な同一直線上に設けられていた。これにより、照光部40から照射されたビーム光は、各環状凸部20のエッジ部及びその近傍に当たると、受光部50へ至るが、それ以外の場合には、受光部50へは至らないようになっていた。
また、図１５ないし図１７は、ＩＤメダル10がメダル通路30を流下する様子と、ＩＤメダル10が各図に示す位置にあるときのビーム光の入射及び反射の様子と、ＩＤメダル10が各図に示す位置にあるときの受光部50による検出信号の波形とを示している。つまり、ＩＤメダル10がメダル通路30を流下すると、ビーム光の反射角度、及び受光部50による検出信号の波形は、図１５ないし図１７に示すように変化する。
【０００８】
また、図１８は、各環状凸部20のエッジ部と、受光部50による検出信号の波形との関係を示している。図１８に示すように、ＩＤメダル10には４つの環状凸部20が設けられており、また、ビーム光は各環状凸部20と２ヶ所で直交することから、検出信号には８つのピークが見られる。
また、図１８に示すように、ＩＤメダル10の中心部分には、表面の凹凸によって文字や絵柄等をあらわす識別マーク90が付されており、また、ビーム光はこのような凹凸を有する識別マーク90をも横切ることから、例えば図１８において破線で示すように、検出信号にはノイズ95のピークも見られる。
【０００９】
また、図１９は、２枚のＩＤメダル10がメダル通路30を連なって流下する様子を示しており、また、図２０は、２枚のＩＤメダル10がメダル通路30を連なって流下したときの、各環状凸部20のエッジ部と、受光部50による検出信号の波形との関係を示している。
従来のＩＤメダル10及びＩＤコード判読装置では、ＩＤメダル10のセンターライン上をスキャンするため、ＩＤメダル10が連なって流下すると、先に流下するＩＤメダル10の最後のピークがあらわれなかったり、あるいは先に流下するＩＤメダル10のＩＤコードとこのＩＤメダル10に連なって流下するＩＤメダル10のＩＤコードとの境目がわかりにくくなって、ＩＤコードの判読が困難になることがあった。
【００１０】
さらに、従来のＩＤメダル10及びＩＤコード判読装置では、ＩＤメダル10のセンターライン上をスキャンするが、ＩＤメダル10の中心部分には、表面の凹凸によって文字や絵柄等をあらわす識別マーク90が付されていることから、例えば図２０において破線で示すように、検出信号にはノイズ95のピークも見られ、このノイズ95のピークによってもＩＤコードの判読が困難になることがあった。
【特許文献１】特開平６−１３９３９３号公報
【特許文献２】特開平６−１３９４３８号公報
【発明の開示】
【発明が解決しようとする課題】
【００１１】
上述したように、従来のＩＤメダル及びＩＤコード判読装置では、ＩＤコード上のみならず、表面の凹凸によって文字や絵柄等をあらわす識別マーク上をもスキャンすることから、識別マークに起因するノイズのピークが検出信号にあらわれ、このノイズのピークによってＩＤコードの判読が困難になることがあった。
一方、識別マークをなくせば、識別マークに起因するノイズのピークが検出信号にあらわれないようにすることができるものの、これではＩＤメダルが自店のものか否かを目視で識別することができなくなってしまう。
（請求項１）
そこで、請求項１記載の発明は、ＩＤコードスキャンラインがメダル中心軌跡から所定距離ずれた位置になるように、かつ、各環状段部とＩＤコードスキャンラインとの２ヶ所ある交点のうちのいずれか一方においてビーム光が環状段部に対してほぼ直交するように当たるように、ビーム光をＩＤコード形成面に対して所定角度傾斜させて照射するとともに、ビーム光が環状段部に対してほぼ直交するように当たったときにＩＤコード形成面で反射したビーム光を受けてＩＤコードの判読を行うＩＤコード判読装置に用いられるＩＤメダルであって、ＩＤコード形成面におけるＩＤコードスキャンラインよりもＩＤメダルの中心側の領域に、視覚的に識別できる固有の識別マークを付することにより、ＩＤメダルが自店のものか否かを目視で識別可能としつつも、識別マーク上をスキャンされないようにし、識別マークに起因するノイズのピークが検出信号に出ないようにして、ＩＤコードの判読に悪影響を与えないようにしたＩＤメダルを提供することを目的とする。
【課題を解決するための手段】
【００１２】
（請求項１）
請求項１記載の発明は、円板形状のメダル本体15と、このメダル本体15の少なくとも一方側の表面に形成され、メダル本体15の外周円と同心円でありかつ径がそれぞれ異なる複数の環状段部とを有し、これら複数の環状段部の数及び環状段部相互の間隔に基づいて固有のＩＤコードが形成され、このＩＤコードがＩＤコード判読装置によって読み取られるＩＤメダル10であって、前記ＩＤコード判読装置は、ＩＤメダル10を一定方向へ流下させるためのメダル通路30と、メダル通路30上の１点に向けてビーム光を照射するための照光部40と、メダル通路30を流下するＩＤメダル10のＩＤコード形成面で反射したビーム光を受けるための受光部50と、受光部50が受けたビーム光に基づいてＩＤコードの判読を行うための判読部とを備え、ＩＤメダル10がメダル通路30を流下したときのＩＤメダル10の中心の軌跡を、メダル中心軌跡60とし、ＩＤメダル10がメダル通路30を流下したときにビーム光がスキャンするＩＤコード形成面上のラインを、ＩＤコードスキャンライン70とすると、照光部40は、ＩＤコードスキャンライン70がメダル中心軌跡60から所定距離ずれた位置になるように、かつ、各環状段部とＩＤコードスキャンライン70との２ヶ所ある交点のうちのいずれか一方においてビーム光が環状段部に対してほぼ直交するように当たるように、ビーム光をＩＤコード形成面に対して所定角度傾斜させて照射するように形成され、受光部50は、ビーム光が環状段部に対してほぼ直交するように当たったときにＩＤコード形成面で反射したビーム光を受けるように形成され、前記ＩＤメダル10は、ＩＤコード形成面におけるＩＤコードスキャンライン70よりもＩＤメダル10の中心側の領域に、視覚的に識別できる固有の識別マーク90を有していることを特徴とする。
【００１３】
つまり、請求項１記載の発明は、ＩＤコードスキャンライン70がメダル中心軌跡60から所定距離ずれた位置になるように、かつ、各環状段部とＩＤコードスキャンライン70との２ヶ所ある交点のうちのいずれか一方においてビーム光が環状段部に対してほぼ直交するように当たるように、ビーム光をＩＤコード形成面に対して所定角度傾斜させて照射するとともに、ビーム光が環状段部に対してほぼ直交するように当たったときにＩＤコード形成面で反射したビーム光を受けてＩＤコードの判読を行うＩＤコード判読装置に用いられるＩＤメダル10であって、ＩＤコード形成面におけるＩＤコードスキャンライン70よりもＩＤメダル10の中心側の領域に、視覚的に識別できる固有の識別マーク90を付したものである。さらに換言すれば、請求項１記載の発明は、ＩＤコードスキャンライン70がかからない範囲内に、あるいはＩＤコードスキャンライン70と干渉しない範囲内に、識別マーク90を付したものである。
【００１４】
ここで、「ＩＤメダル10」は、円板形状のメダル本体15と、このメダル本体15の少なくとも一方側の表面に形成された、メダル本体15の外周円と同心円でありかつ径がそれぞれ異なる複数の環状段部とを有し、これら複数の環状段部の数及び環状段部相互の間隔に基づいて固有のＩＤコードが形成され、このＩＤコードがＩＤコード判読装置によって読み取られるものである。
また、「環状段部」は、メダル本体15の少なくとも一方側の表面に形成される。
つまり、環状段部は、メダル本体15の片面にのみ形成してもよく、また、メダル本体15の両面にそれぞれ形成してもよい。
【００１５】
また、メダル本体15の表面には複数の環状段部が形成され、また、これら複数の環状段部は、いずれもメダル本体15の外周円と同心円となるように形成され、かつ、径がそれぞれ異なるように形成される。そして、これら複数の環状段部の数及び環状段部相互の間隔に基づいて、固有のＩＤコードが形成される。つまり、環状段部の数や幅や間隔などの相違により、固有のＩＤコードが形成される。
また、例えば、メダル本体15の表面に環状凸部20を設け、この環状凸部20を環状段部とすることができるし、また、メダル本体15の表面に環状凹部を設け、この環状凹部を環状段部とすることもできる。もちろん、メダル本体15の表面に環状凸部20と環状凹部とを混在させて設け、これらを環状段部とすることもできる。
【００１６】
また、環状段部としての環状凸部20や環状凹部は、例えば、プレス加工によって形成することができる。
また、「識別マーク90」は、ＩＤメダル10を視覚的に識別できるようにするための固有のマークである。つまり、識別マーク90は、ＩＤメダル10が自店のものか否かを目視でも識別できるようにするためのものである。
また、例えば、表面の凹凸によって文字や絵柄等をあらわすマークを、識別マーク90とすることができる。また、このような識別マーク90は、例えば、プレス加工によって形成することができる。
【００１７】
また、識別マーク90は、例えば、円形とすることができるが、円形に限られるものではない。
また、本発明では、識別マーク90は、ＩＤコード形成面におけるＩＤコードスキャンライン70よりもＩＤメダル10の中心側の領域に付される。
ここで、メダル本体15の外周円と同心円であり、かつ、ＩＤコードスキャンライン70を接線とする円を、「スキャンライン接円85」とすると、「ＩＤコード形成面におけるＩＤコードスキャンライン70よりもＩＤメダル10の中心側の領域」とは、スキャンライン接円85よりも内側の領域を意味する。
【００１８】
つまり、「スキャンライン接円85」とは、メダル本体15の外周円と同心円であり、かつ、ＩＤコードスキャンライン70を接線とする円をいい、また、「ＩＤコード形成面におけるＩＤコードスキャンライン70よりもＩＤメダル10の中心側の領域」とは、スキャンライン接円85よりも内側の領域をいう。
また、ＩＤメダル10は、ＩＤコード判読装置のメダル通路30を、転動または摺動しながら流下していくが、識別マーク90を付する範囲を、ＩＤコード形成面におけるＩＤコードスキャンライン70よりもＩＤメダル10の中心側の領域内としておけば、すなわち、スキャンライン接円85よりも内側の領域内としておけば、ＩＤメダル10がメダル通路30を転動しようが摺動しようが、いずれにせよ識別マーク90がＩＤコードスキャンライン70にかかることはない。つまり、ＩＤコード判読装置が識別マーク90上をスキャンすることはない。
【００１９】
また、「ＩＤコード判読装置」は、ＩＤメダル10に形成されたＩＤコードを判読するためのものである。
また、「メダル通路30」は、ＩＤメダル10を一定方向へ流下させるためのものである。
また、「照光部40」は、メダル通路30上の１点に向けてビーム光を照射するためのものである。
また、「受光部50」は、メダル通路30を流下するＩＤメダル10のＩＤコード形成面で反射したビーム光を受けるためのものである。
また、「判読部」は、受光部50が受けたビーム光に基づいてＩＤコードの判読を行うためのものである。
【００２０】
また、「メダル中心軌跡60」は、ＩＤメダル10がメダル通路30を流下したときのＩＤメダル10の中心の軌跡である。
また、「ＩＤコードスキャンライン70」は、ＩＤメダル10がメダル通路30を流下したときにビーム光がスキャンするＩＤコード形成面上のラインである。
また、本発明では、照光部40は、ＩＤコードスキャンライン70がメダル中心軌跡60からＩＤメダル10の半径の範囲内で所定距離ずれた位置になるように、かつ、各環状段部とＩＤコードスキャンライン70との２ヶ所ある交点のうちのいずれか一方においてビーム光が環状段部に対してほぼ直交するように当たるように、ビーム光をＩＤコード形成面に対して所定角度傾斜させて照射するように形成されている。
【００２１】
つまり、本発明では、ＩＤコードスキャンライン70が、メダル中心軌跡60からずれた位置となっている。また、ずれの方向は、メダル中心軌跡60の上方でもよく下方でもよい。すなわち、ＩＤコードスキャンライン70は、メダル中心軌跡60よりも上方へずらしてもよく、また、メダル中心軌跡60よりも下方へずらしてもよい。換言すると、ビーム光の照射位置は、メダル中心軌跡60よりも上方へずらしてもよく、また、メダル中心軌跡60よりも下方へずらしてもよい。また、ずれの距離は、ＩＤメダル10の半径の範囲内にする。また、ずれの距離は、最小径の環状段部の半径よりも小さい範囲内にする。つまり、ずれの距離を「Ｌ」とし、最小径の環状段部の半径を「Ａ」とすると、「Ｌ＜Ａ」を満たすようにする。そうすると、ＩＤコードスキャンライン70が、すべての環状段部を２回ずつ横切ることとなり、各環状段部と２ヶ所で交わることとなる。
【００２２】
また、本発明では、各環状段部とＩＤコードスキャンライン70との２ヶ所ある交点のうちのいずれか一方において、ビーム光が環状段部に対してほぼ直交するように当たるようにしてある。
例えば、ＩＤメダル10の両面に、環状段部としての環状凸部20を４つ設けて、ＩＤコードを形成する。最も外側の環状凸部20を第１環状凸部20（21）とし、そのすぐ内側の環状凸部20を第２環状凸部20（22）とし、そのすぐ内側の環状凸部20を第３環状凸部20（23）とし、最も内側の環状凸部20を第４環状凸部20（24）とする。ＩＤメダル10がメダル通路30を流下すると、ビーム光は、第１環状凸部20（21）、第２環状凸部20（22）、第３環状凸部20（23）、及び第４環状凸部20（24）をそれぞれ２回ずつ横切る。つまり、第１環状凸部20（21）とＩＤコードスキャンライン70との交点は２ヶ所となる。第２から第４までの各環状凸部20（22〜24）についても同様である。
【００２３】
ここで、第１環状凸部20（21）とＩＤコードスキャンライン70との２ヶ所ある交点のうち、先にビーム光が横切る方を「第１環状凸部先交点」とし、後でビーム光が横切る方を「第１環状凸部後交点」とする。第２から第４までの各環状凸部20（22〜24）についても同様とする。
第１環状凸部先交点において、ビーム光が第１環状凸部20（21）に対してほぼ直交するように当たるようにする。そうすると、第２環状凸部先交点においても、ビーム光が第２環状凸部20（22）に対してほぼ直交するように当たり、また、第３環状凸部先交点においても、ビーム光が第３環状凸部20（23）に対してほぼ直交するように当たり、また、第４環状凸部先交点においても、ビーム光が第４環状凸部20（24）に対してほぼ直交するように当たる。なお、第１環状凸部20（21）も第２環状凸部20（22）も第３環状凸部20（23）も第４環状凸部20（24）も、いずれも同心円であるので、「ほぼ直交する」といっても、交わる角度は少しずつ異なるものである。
【００２４】
一方、第４環状凸部後交点においては、ビーム光は第４環状凸部20（24）に対してほぼ直交するようには当たらず、また、第３環状凸部後交点においても、ビーム光は第３環状凸部20（23）に対してほぼ直交するようには当たらず、また、第２環状凸部後交点においても、ビーム光は第２環状凸部20（22）に対してほぼ直交するようには当たらず、また、第１環状凸部後交点においても、ビーム光は第１環状凸部20（21）に対してほぼ直交するようには当たらない。
これは、ＩＤコードスキャンライン70が、メダル中心軌跡60からずれた位置にあり、かつ、ビーム光投影線80（ビーム光をＩＤコード形成面に投影したときの線）が、メダル中心軌跡60に対して所定角度傾斜しているためである。また、所定角度は、各環状凸部20とＩＤコードスキャンライン70との２ヶ所ある交点のいずれか一方において、ビーム光投影線80が環状凸部20に対してほぼ直交するような角度である。
【００２５】
また、本発明では、受光部50は、ビーム光が環状段部に対してほぼ直交するように当たったときにＩＤコード形成面で反射したビーム光を受けるように形成されている。
例えば、第１環状凸部先交点、第２環状凸部先交点、第３環状凸部先交点、及び第４環状凸部先交点で反射したビーム光のみを受け、第１環状凸部後交点、第２環状凸部後交点、第３環状凸部後交点、及び第４環状凸部後交点で反射したビーム光や、環状凸部20以外の位置で反射したビーム光については受けないように、受光部50の位置及び向きを調整することができる。
以上のように構成されているので、本発明では、ＩＤメダル10が連なって流下しても、ＩＤコードの境目がわかる。また、２ヶ所ある交点の一方と他方とで、ビーム光の環状段部への当たり方がそれぞれ異なり、ひいてはビーム光の反射角度がそれぞれ異なる。このため、環状段部の数がｎならば、検出信号の波形にあらわれるピークの数もｎになる。これにより、ＩＤメダル10の流下方向前側の端から中程まで、あるいはＩＤメダル10の中程から流下方向後側の端までスキャンすれば、ＩＤメダル10の一端から他端までスキャンしなくても、自店のＩＤコードか否かの判読ができる。
【００２６】
したがって、ＩＤメダル10が連なって流下してもＩＤコードの判読を確実に行うことができ、また、自店のＩＤコードか否かの判断に要する時間を比較的短くすることができ、更には、ＩＤコードのデータ量を比較的小さくしてＣＰＵにかかる負荷を比較的小さくすることができる。
そして、本発明では、ＩＤコード形成面におけるＩＤコードスキャンライン70よりもＩＤメダル10の中心側の領域に、視覚的に識別できる固有の識別マーク90を付したことから、ＩＤメダル10が自店のものか否かを目視で識別可能である上に、識別マーク90上をスキャンされないために、識別マーク90に起因するノイズ95のピークが検出信号に出ないので、ＩＤコードの判読に悪影響を与えないのである。
【発明の効果】
【００２７】
（請求項１）
請求項１記載の発明によれば、ＩＤコードスキャンラインがメダル中心軌跡から所定距離ずれた位置になるように、かつ、各環状段部とＩＤコードスキャンラインとの２ヶ所ある交点のうちのいずれか一方においてビーム光が環状段部に対してほぼ直交するように当たるように、ビーム光をＩＤコード形成面に対して所定角度傾斜させて照射するとともに、ビーム光が環状段部に対してほぼ直交するように当たったときにＩＤコード形成面で反射したビーム光を受けてＩＤコードの判読を行うＩＤコード判読装置に用いられるＩＤメダルであって、ＩＤコード形成面におけるＩＤコードスキャンラインよりもＩＤメダルの中心側の領域に、視覚的に識別できる固有の識別マークを付したことから、ＩＤメダルが自店のものか否かを目視で識別可能である上に、識別マーク上をスキャンされないために、識別マークに起因するノイズのピークが検出信号に出ないので、ＩＤコードの判読に悪影響を与えないＩＤメダルを提供できる。
【発明を実施するための最良の形態】
【００２８】
（図面の説明）
図１ないし図１０は、本発明の実施の形態を示すものである。
図１（Ａ）は、本実施の形態に係るＩＤメダル10の平面図、図１（Ｂ）は、図１（Ａ）のＡ−Ａ線断面図、図２は、ＩＤメダル10がメダル通路30を流下する様子及びビーム光の入射の様子を示す平面図、図３は、図２のＢ−Ｂ線断面図であって、ＩＤメダル10が図２の位置にあるときのビーム光の入射及び反射の様子を示す説明図、図４は、図２のＣ−Ｃ線断面図であって、ＩＤメダル10が図２の位置にあるときのビーム光の入射及び反射の様子を示す説明図、図５は、ＩＤメダル10がメダル通路30を流下する様子及びビーム光の入射の様子を示す平面図、図６は、図５のＤ−Ｄ線断面図であって、ＩＤメダル10が図５の位置にあるときのビーム光の入射及び反射の様子を示す説明図、図７は、図５のＥ−Ｅ線断面図であって、ＩＤメダル10が図５の位置にあるときのビーム光の入射及び反射の様子を示す説明図、図８は、ＩＤコードスキャンライン70におけるＩＤメダル10の断面図であって、各環状凸部20のエッジ部と受光部50による検出信号の波形との関係を示す説明図、図９は、２枚のＩＤメダル10がメダル通路30を連なって流下する様子を示す平面図、図１０は、ＩＤコードスキャンライン70におけるＩＤメダル10の断面図であって、２枚のＩＤメダル10がメダル通路30を連なって流下したときの、各環状凸部20のエッジ部と受光部50による検出信号の波形との関係を示す説明図である。
【００２９】
（ＩＤメダル10及びＩＤコード）
図１（Ａ）及び（Ｂ）に示すように、本実施の形態では、ＩＤメダル10は、円板形状のメダル本体15を有している。
また、本実施の形態では、メダル本体15の両面に、ＩＤコードが形成されている。
また、本実施の形態では、メダル本体15の両面に形成されているＩＤコードのパターンは、同一である。
また、本実施の形態では、ＩＤコードは、円板形状のメダル本体15の両面に、メダル本体15の外周円と同心円であり、かつ、径がそれぞれ異なる４つの環状段部を設けることによって形成されている。
【００３０】
また、本実施の形態では、メダル本体15の表面に環状凸部20を設け、この環状凸部20を環状段部としている。
また、本実施の形態では、環状段部としての環状凸部20は、プレス加工によって形成されている。
ここで、４つの環状凸部20のうち、最も外側に設けられているものを第１環状凸部20（21）とし、そのすぐ内側に設けられているものを第２環状凸部20（22）とし、そのすぐ内側に設けられているものを第３環状凸部20（23）とし、最も内側に設けられているものを第４環状凸部20（24）とする。
【００３１】
また、図１（Ａ）及び（Ｂ）に示すように、本実施の形態では、第１から第４までの各環状凸部20（21〜24）は、ＩＤメダル10の比較的外側寄りに位置させるようにして設けてある。これにより、Ｌやθ１を極力大きくとれるようにしてある。
また、図１（Ａ）及び（Ｂ）に示すように、本実施の形態では、各環状凸部20相互の間隔は、比較的狭くしてある。これにより、各環状凸部20に対するビーム光の照射角度の差が極力小さくなるようにしてある。
また、図１（Ａ）及び（Ｂ）に示すように、本実施の形態では、メダル本体15の中心部分に、表面の凹凸によって文字や絵柄等をあらわす識別マーク90が付されている。この識別マーク90は、ＩＤメダル10を視覚的に識別できるようにするための固有のマークである。つまり、この識別マーク90は、ＩＤメダル10が自店のものか否かを目視で識別できるようにするためのものである。
【００３２】
また、図１（Ａ）及び（Ｂ）に示すように、本実施の形態では、識別マーク90は、ＩＤコード形成面におけるＩＤコードスキャンライン70よりもＩＤメダル10の中心側の領域に付されている。
ここで、図２に示すように、メダル本体15の外周円と同心円であり、かつ、ＩＤコードスキャンライン70を接線とする円を、「スキャンライン接円85」とすると、「ＩＤコード形成面におけるＩＤコードスキャンライン70よりもＩＤメダル10の中心側の領域」とは、スキャンライン接円85よりも内側の領域をいう。
つまり、「スキャンライン接円85」とは、メダル本体15の外周円と同心円であり、かつ、ＩＤコードスキャンライン70を接線とする円をいい、また、「ＩＤコード形成面におけるＩＤコードスキャンライン70よりもＩＤメダル10の中心側の領域」とは、スキャンライン接円85よりも内側の領域をいう。
【００３３】
また、本実施の形態では、識別マーク90は、環状段部としての環状凸部20と同時に、プレス加工によって形成されている。
（ＩＤコード判読装置）
ＩＤコード判読装置は、ＩＤメダル10に形成されたＩＤコードを判読するためのものである。
図２ないし図４に示すように、ＩＤコード判読装置は、ＩＤメダル10を一定方向へ流下させるためのメダル通路30と、メダル通路30上の１点に向けてビーム光を照射するための照光部40と、メダル通路30を流下するＩＤメダル10のＩＤコード形成面で反射したビーム光を受けるための受光部50と、受光部50が受けたビーム光に基づいてＩＤコードの判読を行うための判読部とを備えている。つまり、メダル通路30は、ＩＤメダル10を一定方向へ流下させるためのものである。また、照光部40は、メダル通路30上の１点に向けてビーム光を照射するためのものである。また、受光部50は、メダル通路30を流下するＩＤメダル10のＩＤコード形成面で反射したビーム光を受けるためのものである。また、判読部は、受光部50が受けたビーム光に基づいてＩＤコードの判読を行うためのものである。
【００３４】
また、照光部40は、発光ダイオード等の発光素子と、発光素子から発せられた光をビーム光にするビームレンズとを備えている。そして、照光ドライブ回路が発光素子を発光させると、照光部40からビーム光が照射される。
また、受光部50は、ＩＤコード形成面で反射したビーム光を集めるための集光レンズと、集光レンズで集められた光を信号に変換するためのフォトダイオード等の受光素子とを備えている。このような構成により、受光部50は、受けたビーム光を検出信号に変換する。判読部は、検出信号を、あらかじめ登録したＩＤコードデータと比較し、その比較結果を中央処理装置に対して出力する。自店のＩＤコードと合致するＩＤメダル10が使用された場合には、判読部は、中央処理装置に対して、あらかじめ登録されたＩＤコードデータと合致する旨の比較結果を出力する。そうすると、中央処理装置は、出力部に対し、当該ＩＤメダル10の通過を許容する旨の信号を出力する。一方、自店のＩＤコードと合致しないＩＤメダル10が使用された場合には、判読部は、中央処理装置に対して、あらかじめ登録されたＩＤコードデータとは合致しない旨の比較結果を出力する。そうすると、中央処理装置は、出力部に対し、当該ＩＤメダル10を返却する旨の信号を出力する。
【００３５】
ここで、ＩＤメダル10がメダル通路30を流下したときのＩＤメダル10の中心の軌跡を「メダル中心軌跡60」とする。また、ＩＤメダル10がメダル通路30を流下したときにビーム光がスキャンするＩＤコード形成面上のラインを「ＩＤコードスキャンライン70」とする。また、ビーム光をＩＤコード形成面に投影したときの線を「ビーム光投影線80」とする。
図２に示すように、本実施の形態では、照光部40は、ＩＤコードスキャンライン70がメダル中心軌跡60から所定距離ずれた位置になるように、かつ、各環状凸部20とＩＤコードスキャンライン70との２ヶ所ある交点のうちのいずれか一方においてビーム光が環状凸部20に対してほぼ直交するように当たるように、ビーム光をＩＤコード形成面に対して所定角度傾斜させて照射するように形成されている。
【００３６】
具体的には、図２に示すように、本実施の形態では、ＩＤコードスキャンライン70が、メダル中心軌跡60から下方に距離「Ｌ」ずれた位置となっている。また、ずれの距離「Ｌ」は、ＩＤメダル10の半径の範囲内となっている。また、ずれの距離「Ｌ」は、最も径が小さい環状凸部20の半径よりも小さくしてある。より具体的には、本実施の形態では、ずれの距離「Ｌ」は、第４環状凸部20（24）の半径よりも小さくしてある。ここで、最小径の環状凸部20である第４環状凸部20（24）の半径を「Ａ」とすると、「Ｌ＜Ａ」を満たすようにしてある。これにより、本実施の形態では、ＩＤコードスキャンライン70が、第１から第４までの各環状凸部20（21〜24）とそれぞれ２ヶ所で交わるようになっている。つまり、ＩＤメダル10がメダル通路30を流下したときに、ビーム光が、第１環状凸部20（21）、第２環状凸部20（22）、第３環状凸部20（23）、及び第４環状凸部20（24）をそれぞれ２回ずつ横切るようになっている。
【００３７】
また、図２に示すように、本実施の形態では、各環状凸部20とＩＤコードスキャンライン70との２ヶ所ある交点のうち、先に交わる方において、ビーム光が環状凸部20に対してほぼ直交するように当たるようにしてある。
図２に示すように、第１環状凸部20（21）とＩＤコードスキャンライン70との交点は２ヶ所あり、また、第２環状凸部20（22）とＩＤコードスキャンライン70との交点も２ヶ所あり、また、第３環状凸部20（23）とＩＤコードスキャンライン70との交点も２ヶ所あり、また、第４環状凸部20（24）とＩＤコードスキャンライン70との交点も２ヶ所ある。ここで、第１環状凸部20（21）とＩＤコードスキャンライン70との２ヶ所ある交点のうち、先にビーム光が横切る方を「第１環状凸部先交点」とし、後でビーム光が横切る方を「第１環状凸部後交点」とする。また、第２環状凸部20（22）とＩＤコードスキャンライン70との２ヶ所ある交点のうち、先にビーム光が横切る方を「第２環状凸部先交点」とし、後でビーム光が横切る方を「第２環状凸部後交点」とする。また、第３環状凸部20（23）とＩＤコードスキャンライン70との２ヶ所ある交点のうち、先にビーム光が横切る方を「第３環状凸部先交点」とし、後でビーム光が横切る方を「第３環状凸部後交点」とする。また、第４環状凸部20（24）とＩＤコードスキャンライン70との２ヶ所ある交点のうち、先にビーム光が横切る方を「第４環状凸部先交点」とし、後でビーム光が横切る方を「第４環状凸部後交点」とする。
【００３８】
本実施の形態では、第１環状凸部先交点において、ビーム光が第１環状凸部20（21）に対してほぼ直交するように当たるようにしてある。これにより、第２環状凸部先交点においても、ビーム光が第２環状凸部20（22）に対してほぼ直交するように当たり、また、第３環状凸部先交点においても、ビーム光が第３環状凸部20（23）に対してほぼ直交するように当たり、また、第４環状凸部先交点においても、ビーム光が第４環状凸部20（24）に対してほぼ直交するように当たるようになっている。なお、第１環状凸部20（21）も第２環状凸部20（22）も第３環状凸部20（23）も第４環状凸部20（24）も、いずれも同心円であるので、「ほぼ直交する」といっても、交わる角度は少しずつ異なるものである。
【００３９】
一方、第４環状凸部後交点においては、ビーム光は第４環状凸部20（24）に対してほぼ直交するようには当たらず、また、第３環状凸部後交点においても、ビーム光は第３環状凸部20（23）に対してほぼ直交するようには当たらず、また、第２環状凸部後交点においても、ビーム光は第２環状凸部20（22）に対してほぼ直交するようには当たらず、また、第１環状凸部後交点においても、ビーム光は第１環状凸部20（21）に対してほぼ直交するようには当たらない。
これは、図２に示すように、ＩＤコードスキャンライン70が、メダル中心軌跡60からずれた位置にあり、かつ、ビーム光投影線80が、メダル中心軌跡60に対して角度「θ１」傾斜しているためである。また、本実施の形態では、角度「θ１」は、各環状凸部20とＩＤコードスキャンライン70との２ヶ所ある交点のうち、先に交わる方において、ビーム光投影線80が環状凸部20に対してほぼ直交するような角度としてある。
【００４０】
このため、図２及び図５に示すように、本実施の形態では、第４環状凸部先交点と第４環状凸部後交点とで、ビーム光の第４環状凸部20（24）への当たり方がそれぞれ異なる。したがって、図３、図４、図６及び図７に示すように、第４環状凸部先交点と第４環状凸部後交点とで、ビーム光の反射角度がそれぞれ異なる。図示しないが、第１ないし第３の各環状凸部20についても同様である。
また、図３に示すように、本実施の形態では、照光部40は、ビーム光をＩＤコード形成面に対して角度「θ２」傾斜させて照射するようにしてある。つまり、ＩＤコード形成面に対するビーム光の入射角度を「θ２」としてある。また、図３に示すように、ビーム光は、各環状凸部20に対してほぼ直交するようにして、各環状凸部20のエッジ部及びその近傍に当たると、ＩＤコード形成面に対して直角方向に反射するようにしてある。つまり、角度「θ２」は、各環状凸部20に対してほぼ直交するようにして、各環状凸部20のエッジ部及びその近傍に当たったビーム光が、ＩＤコード形成面に対して直角方向に反射する角度としてある。このように、照光部40は、各環状凸部20に対してほぼ直交するようにして、各環状凸部20のエッジ部及びその近傍に当たったビーム光が、ＩＤコード形成面に対して直角方向に反射するように、ビーム光をＩＤコード形成面に対して角度「θ２」傾斜させて照射するようにしてある。なお、図６に示すように、ビーム光は、たとえ各環状凸部20のエッジ部及びその近傍に当たったとしても、各環状凸部20に対してほぼ直交するように当たらないと、ＩＤコード形成面に対して直角方向には反射しない。
【００４１】
また、図３及び図４に示すように、受光部50は、ビーム光が環状凸部20に対してほぼ直交するように当たったときにＩＤコード形成面で反射したビーム光を受けるように、その位置及びその向きを調整してある。上述したように、ビーム光は、各環状凸部20に対してほぼ直交するようにして、各環状凸部20のエッジ部及びその近傍に当たると、ＩＤコード形成面に対して直角方向に反射する。そして、図３及び図４に示すように、受光部50は、このときＩＤコード形成面で反射したビーム光を受けるように形成されている。より具体的には、図３及び図４に示すように、ビーム光の照射位置と受光部50とは、ＩＤコード形成面に対して垂直な同一直線上に設けられている。また、受光部50は、集光レンズを、ＩＤコード形成面方向へ向けている。これにより、照光部40から照射されたビーム光は、図３及び図４に示すように、各環状凸部20に対してほぼ直交するようにして、各環状凸部20のエッジ部及びその近傍に当たると、受光部50へ至るが、それ以外の場合には、より具体的には、環状凸部20のないところに当たったり、あるいは図６及び図７に示すように、たとえ各環状凸部20のエッジ部及びその近傍に当たったとしても、各環状凸部20に対してほぼ直交するように当たらないと、受光部50へは至らないようになっている。
【００４２】
また、図８は、各環状凸部20のエッジ部と、受光部50による検出信号の波形との関係を示している。本実施の形態では、ビーム光は、第１環状凸部先交点、第２環状凸部先交点、第３環状凸部先交点、及び第４環状凸部先交点では直交するものの、第１環状凸部後交点、第２環状凸部後交点、第３環状凸部後交点、及び第４環状凸部後交点では直交しないことから、１枚のＩＤメダル10を一端から他端までスキャンしたときには、図８に示すように、検出信号には４つのピークがあらわれることとなる。
また、図９は、２枚のＩＤメダル10がメダル通路30を連なって流下する様子を示しており、また、図１０は、２枚のＩＤメダル10がメダル通路30を連なって流下したときの、各環状凸部20のエッジ部と、受光部50による検出信号の波形との関係を示している。
【００４３】
このように、本実施の形態では、ＩＤコードスキャンライン70を、メダル中心軌跡60からずらしてある。また、各環状凸部20とＩＤコードスキャンライン70との２ヶ所ある交点のうち、先に交わる方において、ビーム光が環状凸部20に対してほぼ直交するように当たるようにしてある。つまり、第１環状凸部先交点、第２環状凸部先交点、第３環状凸部先交点、及び第４環状凸部先交点において、ビーム光が各環状凸部20に対してほぼ直交するように当たるようにしてある。更に、環状凸部20に対してほぼ直交するように当たったときに反射したビーム光のみを受光部50で受けるようにしてある。
このため、ＩＤメダル10が連なって流下しても、ＩＤコードの境目がわかる。また、２ヶ所ある交点の一方と他方とで、ビーム光の環状凸部20への当たり方がそれぞれ異なり、ひいてはビーム光の反射角度がそれぞれ異なる。これにより、環状凸部20の数がｎならば、検出信号の波形にあらわれるピークの数もｎになる。よって、ＩＤメダル10の流下方向前側の端から中程までスキャンすれば、つまり、第１環状凸部先交点から第４環状凸部先交点までスキャンすれば、ＩＤメダル10がビーム光の照射位置を完全に通過するのを待たずに、自店のＩＤコードか否かの判読ができる。
【００４４】
したがって、ＩＤメダル10が連なって流下してもＩＤコードの判読を確実に行うことができ、また、自店のＩＤコードか否かの判断に要する時間を比較的短くすることができ、また、ＩＤコードのデータ量を比較的小さくしてＣＰＵにかかる負荷を比較的小さくすることができ、更には、ＩＤメダル10の受け付けあるいは返却の処理を迅速に行うことができる。
また、本実施の形態では、ＩＤコード形成面におけるＩＤコードスキャンライン70よりもＩＤメダル10の中心側の領域に、すなわち、スキャンライン接円85よりも内側の領域に、視覚的に識別できる固有の識別マーク90が付されている。
【００４５】
このため、ＩＤメダル10が自店のものか否かを目視で識別可能である上に、ＩＤメダル10がＩＤコード判読装置のメダル通路30を転動しようが摺動しようが、いずれにせよ識別マーク90がＩＤコードスキャンライン70にかかることはない。つまり、ＩＤコード判読装置が識別マーク90上をスキャンすることはない。
したがって、識別マーク90に起因するノイズ95のピークが検出信号に出ないので、ＩＤコードの判読に悪影響を与えない。
なお、本実施の形態では、ＩＤコードスキャンライン70をメダル中心軌跡60の下方へずらしたが、ＩＤコードスキャンライン70をメダル中心軌跡60の上方へずらしてもよい。
【００４６】
また、本実施の形態では、各環状凸部20とＩＤコードスキャンライン70との２ヶ所ある交点のうち、先に交わる方において、ビーム光が各環状凸部20に対してほぼ直交するように当たるようにしたが、後に交わる方において、ビーム光が各環状凸部20に対してほぼ直交するように当たるようにしてもよい。
【図面の簡単な説明】
【００４７】
【図１】図１（Ａ）は、本実施の形態に係るＩＤメダルの平面図、図１（Ｂ）は、図１（Ａ）のＡ−Ａ線断面図。
【図２】ＩＤメダルがメダル通路を流下する様子及びビーム光の入射の様子を示す平面図。
【図３】図２のＢ−Ｂ線断面図であって、ＩＤメダルが図２の位置にあるときのビーム光の入射及び反射の様子を示す説明図。
【図４】図２のＣ−Ｃ線断面図であって、ＩＤメダルが図２の位置にあるときのビーム光の入射及び反射の様子を示す説明図。
【図５】ＩＤメダルがメダル通路を流下する様子及びビーム光の入射の様子を示す平面図。
【図６】図５のＤ−Ｄ線断面図であって、ＩＤメダルが図５の位置にあるときのビーム光の入射及び反射の様子を示す説明図。
【図７】図５のＥ−Ｅ線断面図であって、ＩＤメダルが図５の位置にあるときのビーム光の入射及び反射の様子を示す説明図。
【図８】ＩＤコードスキャンラインにおけるメダルの断面図であって、各環状凸部のエッジ部と受光部による検出信号の波形との関係を示す説明図。
【図９】２枚のＩＤメダルがメダル通路を連なって流下する様子を示す平面図。
【図１０】ＩＤコードスキャンラインにおけるＩＤメダルの断面図であって、２枚のＩＤメダルがメダル通路を連なって流下したときの、各環状凸部のエッジ部と受光部による検出信号の波形との関係を示す説明図。
【図１１】図１１（Ａ）は、従来のメダルの平面図、図１１（Ｂ）は、図１１（Ａ）のＦ−Ｆ線断面図。
【図１２】ＩＤメダルがメダル通路を流下する様子及びビーム光の入射の様子を示す平面図。
【図１３】図１２のＧ−Ｇ線断面図であって、ＩＤメダルが図１２の位置にあるときのビーム光の入射及び反射の様子を示す説明図。
【図１４】環状凸部の断面拡大図であって、ビーム光が環状凸部のエッジ部及びその近傍で反射する様子を示す説明図。
【図１５】図１５（Ａ）は、ＩＤメダルがメダル通路を流下する様子を示す平面図、図１５（Ｂ）は、図１５（Ａ）のＨ−Ｈ線断面図であって、ＩＤメダルが図１５（Ａ）の位置にあるときのビーム光の入射及び反射の様子を示す説明図、図１５（Ｃ）は、ＩＤメダルが図１５（Ａ）の位置にあるときの受光部による検出信号の波形を示す説明図。
【図１６】図１６（Ａ）は、ＩＤメダルがメダル通路を流下する様子を示す平面図、図１６（Ｂ）は、図１６（Ａ）のＩ−Ｉ線断面図であって、ＩＤメダルが図１６（Ａ）の位置にあるときのビーム光の入射及び反射の様子を示す説明図、図１６（Ｃ）は、ＩＤメダルが図１６（Ａ）の位置にあるときの受光部による検出信号の波形を示す説明図。
【図１７】図１７（Ａ）は、ＩＤメダルがメダル通路を流下する様子を示す平面図、図１７（Ｂ）は、図１７（Ａ）のＪ−Ｊ線断面図であって、ＩＤメダルが図１７（Ａ）の位置にあるときのビーム光の入射及び反射の様子を示す説明図、図１７（Ｃ）は、ＩＤメダルが図１７（Ａ）の位置にあるときの受光部による検出信号の波形を示す説明図。
【図１８】ＩＤコードスキャンラインにおけるＩＤメダルの断面図であって、各環状凸部のエッジ部と受光部による検出信号の波形との関係を示す説明図。
【図１９】２枚のＩＤメダルがメダル通路を連なって流下する様子を示す平面図。
【図２０】ＩＤコードスキャンラインにおけるＩＤメダルの断面図であって、２枚のＩＤメダルがメダル通路を連なって流下したときの、各環状凸部のエッジ部と受光部による検出信号の波形との関係を示す説明図。
【符号の説明】
【００４８】
10  ＩＤメダル                      15  メダル本体
20  環状凸部                        21  第１環状凸部
22  第２環状凸部                    23  第３環状凸部
24  第４環状凸部                    30  メダル通路
40  照光部                          50  受光部
60  メダル中心軌跡                  70  ＩＤコードスキャンライン
80  ビーム光投影線                  85  スキャンライン接円
90  識別マーク                      95  ノイズ
【図１】
2008054824.tif 000003
【図２】
2008054824.tif 000004
【図３】
2008054824.tif 000005
【図４】
2008054824.tif 000006
【図５】
2008054824.tif 000007
【図６】
2008054824.tif 000008
【図７】
2008054824.tif 000009
【図８】
2008054824.tif 000010
【図９】
2008054824.tif 000011
【図１０】
2008054824.tif 000012
【図１１】
2008054824.tif 000013
【図１２】
2008054824.tif 000014
【図１３】
2008054824.tif 000015
【図１４】
2008054824.tif 000016
【図１５】
2008054824.tif 000017
【図１６】
2008054824.tif 000018
【図１７】
2008054824.tif 000019
【図１８】
2008054824.tif 000020
【図１９】
2008054824.tif 000021
【図２０】
2008054824.tif 000022